(57)【要約】【課題】工期の短縮化、コストダウンを図りつつ床下の凍上を防止することができる冷蔵庫建物の床構造を提供すること。【解決手段】冷蔵庫建物１２の床２２は、第１のコンクリート層２４と、第１のコンクリート層２４の上に設けられた通気層２６と、通気層２６の上に設けられた第２のコンクリート層２８と、通気層２６の換気を強制的に行なう換気手段３０などを備えている。通気層２６は、湧水マット３２を用いて形成されている。湧水マット３２は、平板状の板部３２０２と、板部３２０２から突出された複数の脚部３２０６と凸部３２０８とで構成されている。湧水マット３２は第１のコンクリート層２４の上面に脚部３２０６と凸部３２０８を載置して配設され、通気層２６は、脚部３２０６および凸部３２０８の周囲で第１のコンクリート層２４の上面に空間が水平方向に連通した状態で広がるように形成されている。【選択図】　　　　図１
2004028462.tif 000002
【特許請求の範囲】
【請求項１】
冷蔵庫建物の床構造であって、
前記建物の床は、第１のコンクリート層と、前記第１のコンクリート層の上面に配設された湧水マットと、前記湧水マットの上面に設けられた第２のコンクリート層とを備え、
前記第１のコンクリート層の上面には前記湧水マットにより水平方向に空間が連通した状態で広がる通気層が形成され、
さらに、前記通気層の換気を強制的に行なう換気手段が設けられている、
ことを特徴とする冷蔵庫建物の床構造。
【請求項２】
冷蔵庫建物の床構造であって、
前記建物の床は、第１のコンクリート層と、前記第１のコンクリート層の上に設けられ水平方向に空間が連通した状態で広がる通気層と、前記通気層の上に設けられた第２のコンクリート層とを備え、
前記通気層は湧水マットを用いることで構成されており、
前記湧水マットは、上面および下面を有する板部と、前記板部の下面から突出され前記板部の厚さ方向に貫通する貫通孔が形成された複数の脚部とを備え、
前記湧水マットは第１のコンクリート層の上面に前記脚部を載置して配設され、
前記第２のコンクリート層は前記湧水マットの板部の上面にコンクリートが打設されることで設けられ、
前記貫通孔には、前記第２のコンクリート層の施工時に打設されるコンクリートが充填され、前記貫通孔に充填されたコンクリートにより湧水マットの上面の荷重を支持するコンクリート脚体が設けられ、
前記通気層は、前記脚部の周囲で前記第１のコンクリート層の上面と前記湧水マットの板部の下面との間に形成されており、
さらに、前記通気層の換気を強制的に行なう換気手段が設けられている、
ことを特徴とする冷蔵庫建物の床構造。
【請求項３】
湧水マットは断熱性を有する部材により構成されていることを特徴とする請求項１または２記載の冷蔵庫建物の床構造。
【発明の詳細な説明】
【０００１】
【発明の属する技術分野】
本発明は、冷蔵庫建物の床構造に関し、さらに詳細には、冷蔵庫建物の最下階の床下凍上を防止するようにした床構造に関する。
【０００２】
【従来の技術】
冷蔵庫建物では内部の冷熱を外部に漏らさないように、床、壁、天井に断熱層が設けられる。
一方、断熱層は経時変化により断熱性能が低下することが考えられる。
そして、床に設けられた断熱層が経時変化により断熱性能が低下した場合、その内部の冷熱が床下の土壌に伝達されてしまい、床下の土壌が凍結し床を押し上げてしまう虞がある。
このような床下凍上を防止するため、従来では、冷蔵庫建物の床下に二重ピットを設け、床に設けられた断熱層が経時変化しても、冷蔵庫建物の内部の冷熱が床下の土壌に伝わらないようにしている。
【０００３】
【発明が解決しようとする課題】
しかしながら上記の方法では、次のような問題がある。
▲１▼二重ピットを作るには地盤を掘削する作業を要するため、工期の短縮化、コストダウンを図る上で不利がある。
▲２▼掘削した掘削土を処分しなければならず、この点からも、コストダウンを図る上で不利がある。
本発明は前記事情に鑑み案出されたものであって、本発明の目的は、工期の短縮化、コストダウンを図りつつ床下の凍上を防止することができる冷蔵庫建物の床構造を提供することにある。
【０００４】
【課題を解決するための手段】
前記目的を達成するため本発明は、冷蔵庫建物の床構造であって、前記建物の床は、第１のコンクリート層と、前記第１のコンクリート層の上面に配設された湧水マットと、前記湧水マットの上面に設けられた第２のコンクリート層とを備え、前記第１のコンクリート層の上面には前記湧水マットにより水平方向に空間が連通した状態で広がる通気層が形成され、さらに、前記通気層の換気を強制的に行なう換気手段が設けられていることを特徴とする。
【０００５】
本発明によれば、第１のコンクリート層の上に湧水マットを配設し、その上に第２のコンクリート層を設けることで、第１のコンクリート層と第２のコンクリート層の間に通気層を簡単に形成できる。そして、この通気層を強制的に換気することで、冷蔵庫建物の床下凍上が防止される。
【０００６】
【発明の実施の形態】
以下、本発明の実施の形態について図面を参照して説明する。
図１は冷蔵庫建物の床および壁部分の断面図、図２は冷蔵庫建物の通気層部分の断面平面図、図３（Ａ）は湧水マットの平面図、（Ｂ）は同断面正面図、図４は床施工の説明図を示す。
冷蔵庫建物１２は、仕切り壁１４で互いに仕切られた３つの冷蔵庫（冷蔵室）１６を有し、冷蔵庫建物１２の壁１８は、図１に示すように、コンクリート製の壁１８０２、壁１８０２の外面に設けられたグラスウールからなる断熱層１８０４、断熱層１８０４の外面に設けられたガルバリウム鋼板からなる防湿層１８０６、防湿層１８０６の外面に設けられた角波鉄板１８０８などで構成されている。また、壁１８の内側の下部には、発泡ウレタンからなる断熱層１８１２、断熱層１８１２を覆う鋼板１８１４などが設けられ、フォークリフトなどによる作業時の壁１８の損傷の防止が図られており、図１において符号２０は基礎を示している。
【０００７】
前記冷蔵庫建物１２の最下階の床２２は、第１のコンクリート層２４と、第１のコンクリート層２４の上に設けられた通気層２６と、通気層２６の上に設けられた第２のコンクリート層２８と、通気層２６の換気を強制的に行なう換気手段３０などを備えている。
前記第１のコンクリート層２４は、コンクリートが地盤の上に打設されることで形成されている。本実施の形態では、地盤の上にポリエチレン製のフィルムＦが敷かれ、このフィルムＦの上にコンクリートが打設されて第１のコンクリート層２４が形成されており、第１のコンクリート層２４にひび割れたが生じた場合、地盤から湿気が上がってくるのをフィルムＦにより防止するようにしている。
【０００８】
前記通気層２６は、湧水マット３２を用いて形成されている。
湧水マット３２は、地下の床下の湧水処理に用いられている市販品であり、本実施の形態では、湧水マット３２として、ウチヤマエンジニアリング株式会社製の「ドレンフォーム」を用いており、湧水マット３２は発泡ポリスチレン製で、断熱性を有している。
湧水マット３２は前記第１のコンクリート層２４の上面に配設され、これにより通気層２６は、空間が水平方向に連通した状態で広がるように形成されている。
図３（Ａ）、（Ｂ）に示すように、湧水マット３２は、上面および下面を有する平板状の板部３２０２と、前記板部３２０２の下面から間隔をおいて突出されその内部に前記板部３２０２の厚さ方向に貫通する貫通孔３２０４が形成された複数の脚部３２０６と、前記板部３２０２の下面から間隔をおいて突出された複数の凸部３２０８とで構成され、脚部３２０６と凸部３２０８の突出長さは同一の寸法で形成されている。
前記脚部３２０６と凸部３２０８は、図３（Ａ）に示すように碁盤の目の状に配設され、複数の凸部３２０８の縦横の列により正方形が形成され、この正方形の角部に位置するように脚部３２０６が配設されている。
【０００９】
そして、図４（Ａ）、（Ｂ）に示すように、このような構成からなる複数の湧水マット３２が第１のコンクリート層２４の全域に敷設され、３つの冷蔵庫１６の各床２２に対応した箇所全域に湧水マット３２が敷設される。
前記湧水マット３２は第１のコンクリート層２４の上面に脚部３２０６と凸部３２０８を載置して配設される。したがって、前記通気層２６は、脚部３２０６および凸部３２０８の周囲で第１のコンクリート層２４の上面と湧水マット３２の板部３２０２の下面との間に空間が水平方向に連通した状態で広がるように形成されている。
【００１０】
次に、図４（Ｃ）に示すように、湧水マット３２の板部３２０２の上面にコンクリートが打設され、第２のコンクリート層２８が形成される。
そして、このコンクリートの打設時に、脚部３２０６の貫通孔３２０４にコンクリートが充填され、貫通孔３２０４に充填されたコンクリートによりコンクリート脚体２８０２が形成され、湧水マット３２上の荷重はこれら複数のコンクリート脚体２８０２により第１のコンクリート層２４の上で支持されることになる。
第２のコンクリート層２８が形成されたならば、図１に示すように、第２のコンクリート層２８の上にスタリロフォームを用いて断熱層３４が形成され、更に、断熱層３４の上にコンクリートが打設されてコンクリート床面３６が形成される。
【００１１】
前記換気手段３０は通気層２６の強制換気を行なうものであり、図２に示すように、第１乃至第４スリーブ３００２Ａ、３００２Ｂ、３００２Ｃ、３００２Ｄと、排気ダクト３００４と、排気ファン３００６などにより構成されている。
前記第１スリーブ３００２Ａは、３つの冷蔵庫１６のうち一方の端部に位置する冷蔵庫１６の壁１８部分に、建物の外部と前記通気層２６を連通させるように貫通されている。
前記第２スリーブ３００２Ｂは、前記端部に位置する冷蔵庫１６と真ん中に位置する冷蔵庫１６の仕切壁１４部分に、双方の通気層２６を連通させるように貫通され、前記第３スリーブ３００２Ｃは、真ん中に位置する冷蔵庫１６と他方の端部に位置する冷蔵庫１６の仕切壁１４部分に、双方の通気層２６を連通させるように貫通されている。
前記第４スリーブ３００２Ｄは、他方の端部に位置する冷蔵庫１６の壁１８部分に、前記通気層２６に連通するように貫通されている。
【００１２】
前記第１乃至第４スリーブ３００２Ａ、３００２Ｂ、３００２Ｃ、３００２Ｄ、は水平方向に間隔をおいて複数設けられ、各冷蔵庫１６の床２２の通気層において、外気が均一に流れるように、第２および第３スリーブ３００２Ｂ、３００２Ｃは、第１および第４スリーブ３００２Ａ、３００２Ｄよりも細かいピッチで設けられ、したがって、第２および第３スリーブ３００２Ｂ、３００２Ｃの本数は、第１および第４スリーブ３００２Ａ、３００２Ｄよりも多くなっている。
前記排気ダクト３００４は、他方の端部に位置する冷蔵庫１６の壁１８０２の外面下部に沿って水平方向に延在し、各第４スリーブ３００２Ｄの端部は前記排気ダクト３００４に連結されている。
前記排気ファン３００６は前記排気ダクト３００４の端部に設けられている。そして、排気ファン３００６の駆動により、外気が第１スリーブ３００２Ａを経て一方の端部に位置する冷蔵庫１６の通気層２６に吸い込まれ、外気は第２乃至第４スリーブ３００２Ｂ、３００２Ｃ、３００２Ｄを経て残りの２つの冷蔵庫１６の通気層２６を通過した後、排気ダクト３００４に吸い込まれ、大気に放出される。このようにして３つの冷蔵庫１６の床２２の内部の通気層２６の換気が強制的に行なわれる。
【００１３】
本実施の形態によれば、地盤上に位置する第１のコンクリート層２４と、この第１のコンクリート層２４の上位に位置する第２のコンクリート層３２との間に通気層２６を設け、この通気層２６を強制的に換気するようにしたので、冷蔵庫１６の冷熱の第１のコンクリート層２４から地盤への伝達を通気層２６により効果的に阻止でき、したがって、床下の土壌が凍結することで床を押し上げる、いわゆる床下凍上を防止することが可能となる。
また、通気層２６は、地下の床下の湧水処理に用いられている市販品の湧水マットを使用することで簡単に形成でき、しかも、土壌を掘削する作業や、残土処理を省くこともできるので、工期の短縮化、コストダウンを図る上で極めて有利となる。
また、本実施の形態では、断熱性を有する湧水マット３２を用いたので、冷蔵庫１６の冷熱の地盤への伝達をより効果的に阻止でき、したがって、床下凍上をより効果的に防止する上で有利となる。
【００１４】
なお、本発明で用いる湧水マットの構造は実施の形態で用いたものに限定されず、市販されている種々の構造のものを使用可能である。
【００１５】
【発明の効果】
以上の説明で明らかなように本発明法によれば、湧水マットを利用することで冷蔵庫建物の床に通気層を設けるようにしたので、工期の短縮化、コストダウンを図りつつ床下の凍上を防止することが可能となる。
【図面の簡単な説明】
【図１】冷蔵庫建物の床および壁部分の断面図である。
【図２】冷蔵庫建物の通気層部分の断面平面図である。
【図３】（Ａ）は湧水マットの平面図、（Ｂ）は同断面正面図である。
【図４】床施工の説明図である。
【符号の説明】
１２　冷蔵庫建物
１６　冷蔵庫
２２　床
２４　第１のコンクリート層
２６　通気層
２８　第２のコンクリート層
３０　換気手段
３２　湧水マット
【図１】
2004028462.tif 000003
【図２】
2004028462.tif 000004
【図３】
2004028462.tif 000005
【図４】
2004028462.tif 000006